(57)【要約】      （修正有）【課題】スピンドルネジが座屈しにくく、連続的で軽いハンドル回転による水門開閉操作、及びメンテナンスの軽減を図る水門用開閉機を提供する。【解決手段】スピンドルナット４ｂ内蔵の中空軸４を、樹脂製滑り板３ｂおよび５ｂで構成される特徴を有する上部軸受け３と下部軸受け５で支え、中空軸４内部にスピンドルネジ６を収納または内部より繰り出させることにより、スピンドルネジ６の全長を短くし、座屈変形を発生し難くする。また、この方式では水門扉体７の開方向動作時に、スピンドルネジ６はハンドル２上部にせり出すことなく、手継動作無しの連続回転が可能となる。上部軸受け３および下部軸受け５は、各々オイルシール３ａとＯリング５ａによる密閉構造とし、内部には潤滑油が充填される。また、両軸受け内部には樹脂製の滑り板が設けられる。前述の中空軸４内には潤滑油４ｃが充填され、スピンドルネジ６の上下運動により、潤滑油がネジに供給される。【選択図】図１
0003196422.tif 000002
【実用新案登録請求の範囲】
【請求項１】
中空軸内にスピンドルナットを組込み、軸受けで支えた外ネジ式とすることを特徴とする水門用開閉機。
【請求項２】
前記中空軸は、ハンドルの回転により軸内にスピンドルネジを格納、または同部より繰り出させ、ハンドルの連続回転により水門扉体を上昇、下降できることを特徴とする水門用開閉機。
【請求項３】
前記軸受けは、密閉材により密閉され、かつ複数設けられた潤滑油溜め穴を持つテフロン（商品名）樹脂製滑り板を設け、この樹脂製滑り板で回転体を支えることにより、円滑な回転をし、経年劣化、腐食損傷を防止することを特徴とする請求項１記載の水門用開閉機。
【請求項４】
前記中空軸は、軸内に潤滑油を供給でき、かつ滞留させ、スピンドルネジへの自動給油によるメンテナンス軽減を特徴とする請求項１記載の水門用開閉機。
【考案の詳細な説明】
【技術分野】
【０００１】  この考案は、水路の開閉に用いる水門用開閉機の構造に関する。
【背景技術】
【０００２】  従来の手動式水門用開閉機の構造は、図２に示すように、水門用開閉機の本体４の内部にスピンドルナット４ａ、鋼製軸受け４ｂが設けられたものである。ハンドル３を回転することにより、鋼製軸受け４ｂで支えたスピンドルナット４ａが回転し、スピンドルネジ２に上下方向運動を発生させ、連結部６ａを介し水門扉体６ｂに伝達し、水門扉体６の開閉を行っていたものである。
【先行技術文献】
【非特許文献】
【０００４】
【非特許文献１】農林水産省農村振興局整備部設計課監修  「鋼構造物計画設計技術指針（水門扉編）」社団法人農業土木事業協会発行  ２００９年
【考案の概要】
【考案が解決しようとする課題】
【０００５】  しかしながら、以上の技術によれば、スピンドルネジ方式の場合、扉体の必要上下運動量に比較し、スピンドルネジの全長が長くなればなるほど過度の押し下げ力に比例し、スピンドルネジの座屈が発生し易くなり、スピンドルネジの振れ止めは有るものの、座屈し、開閉機能支障を発生していた。また、外ネジ方式の場合、扉体上昇と共にハンドル上部に、スピンドルネジが繰り出され、手継動作無しの連続回転は、不可能であった。同時に、開閉機内部の鋼製軸受けが経年により腐食、損傷し、円滑な回転を阻害するものとなっていた。加えて、スピンドルナットの大半が外部に露出していることにより、潤滑油（グリス）の変質を発生し、手入れ無しに、円滑な上下運動は不可能となっていた。
そこで、この考案は、スピンドルネジが座屈しにくく、連続的で軽いハンドル回転による水門開閉操作、及びメンテナンスの軽減を提供することを課題とする。
【課題を解決するための手段】
【０００６】  以上の課題を解決するために、第一考案は、開閉機に中空軸を採用し、スピンドルナットを中空軸内に組込み、上下を軸受けで支えることにより、スピンドルネジの全長を短くし、ネジの座屈を回避することを特徴とする水門用開閉機である。
また、第二考案は、中空軸内にスピンドルネジを収納または中空軸よりスピンドルネジを繰り出させ、ハンドル上部にスピンドルネジを突き出すことなく手継動作無しで、連続回転の出来ることを特徴とする水門用開閉機である。
第三考案は、開閉機軸受けを密閉材で密閉し、軸受け内部にテフロン（商品名）樹脂製滑り板を設け、かつ樹脂製滑り板を複数の潤滑油滞留穴のある構造とし、浸水や潤滑油切れによる劣化、腐食損傷を防止し、長期にわたる円滑な回転を、継続することを特徴とする水門用開閉機である。
第四考案は、水門用開閉機の中空軸内部に潤滑油（グリス）を供給し、かつ滞留させ、スピンドルネジの上下運動によりスピンドルネジとスピンドルナットに自動給油され、メンテナンスが軽度となる特徴とする水門用開閉機である。
【考案の効果】
【０００７】  第一考案、または第二考案によれば、手継動作無しのハンドル回転によりスピンドルネジが上下し、ハンドルに２００Ｎ以上の力を加えてもスピンドルネジに座屈は認められない。また、第三考案及び第四考案によれば、ハンドル操作は水門閉方向動作で１０Ｎ、同開方向動作で４０Ｎと軽く、スピンドルネジの上下運動により、ネジの表面に薄い潤滑油（グリス）の層状付着が認められ、スピンドルネジ表面清掃を、低位置で、年に１回程度行う程度のメンテナンスで機能維持可能と考察された。
【図面の簡単な説明】
【図１】この考案の一実施形態を示す断面図である。
【図２】従来技術を示す断面図である。
【考案を実施するための形態】
【０００９】  この考案の一実施形態を図１に示す。
水門用開閉機は、主にステンレス鋼を使用する鋼製で、他種金属を使用しても実施可能である。この水門用開閉機は、回転式ハンドルグリップ１を設けたハンドル２と、オイルシール３ａにより密閉式とされ、内部に回転軸３ｃと多数の潤滑油溜まり穴加工を施したテフロン（商品名）樹脂製滑り板３ｂを有する上部軸受け３、および上端に連結用アタッチメント４ａを設け、内部にスピンドルナット４ｂと潤滑油（グリス）４ｃを設けた中空軸４、並びにオイルシール５ａにより密閉され、上部軸受けと同様に、多数の潤滑油溜り穴加工を施したテフロン（商品名）樹脂製滑り板５ｂがスピンドルナット４ｂ下部に一枚入れられた構造である下部軸受け５と、スピンドルネジ６により構成されている。但し、上部軸受け３および下部軸受け５は、双方とも内部に潤滑油（グリス）が完全に充填されており、内部のテフロン（商品名）樹脂製滑り板に、多数の潤滑油溜り穴加工が施されてなくてもほぼ同等の円滑な回転性が得られる。
この水門用開閉機は、手動平巻き式開閉機であるが、ハンドル２に替えて、ベベルギア式若しくは、各種歯車式の減速機を付加することもでき、各部寸法の変更によりスピンドルネジおよびナットの大型化に対応できるものである。
【実施例】
【００１０】  この水門用開閉機は、下部軸受けの高さ位置が、水門用扉体のスピンドルネジ連結部７ａを含む高さに加えて、扉体の必要上昇高さえを超えるときに用いられる。操作位置に対し、水門扉体位置が低く、スピンドルネジ長さが長くなり、座屈を発生する可能性を有するときは特に有効である。また、軸受け単体としては、他の製品に転用可能である。
【符号の説明】
【００１１】１  回転式ハンドルグリップ（とって）    ２  ハンドル
３  上部軸受け本体                      ３ａオイルシール
３ｂテフロン（商品名）樹脂製滑り板      ３ｃ回転軸
４  スピンドルナット組込中空軸          ４ａ上端連結用アタッチメント
４ｂスピンドルナット                    ４ｃ潤滑油（グリス）
５  下部軸受け本体                      ５ａＯリング
５ｂテフロン（商品名）樹脂製滑り板      ６  スピンドルネジ
７ａ水門用扉体連結部                    ７ｂ水門用扉体
【図１】
0003196422.tif 000003
【図２】
0003196422.tif 000004
【手続補正書】
【提出日】平成26年12月16日(2014.12.16)
【手続補正１】
【補正対象書類名】実用新案登録請求の範囲
【補正対象項目名】全文
【補正方法】変更
【補正の内容】
【実用新案登録請求の範囲】
【請求項１】
水門扉体に連結部を介して接続されたスピンドルネジと、中空軸内にスピンドルナットを組み込んだ中空軸とを備え、中空軸の上下を軸受けで支え、ハンドルの回転により中空軸内にスピンドルネジを格納、または同部より繰り出させ、ハンドルの連続回転により水門扉体を上昇、下降できることを特徴とする水門用開閉機。
【請求項２】
前期軸受けは、密閉材により密閉され、かつ複数設けられた潤滑油溜め穴を持つポリテトラフルオロエチレン（４フッ化）樹脂製滑り板を設け、この樹脂製滑り板で回転体を支えることにより、円滑な回転をし、経年劣化、腐食損傷を防止することを特徴とする請求項１記載の水門用開閉機。
【請求項３】
前記中空軸は、軸内に潤滑油を供給でき、かつ滞留させ、スピンドルネジへの自動給油によるメンテナンス軽減を特徴とする請求項１記載の水門用開閉機。